【手続補正書】
【提出日】平成20年7月30日(2008.7.30)
【手続補正１】
【補正対象書類名】明細書
【補正対象項目名】発明の名称
【補正方法】変更
【補正の内容】
【発明の名称】カメラ及びカメラシステム
【手続補正２】
【補正対象書類名】明細書
【補正対象項目名】特許請求の範囲
【補正方法】変更
【補正の内容】
【特許請求の範囲】
【請求項１】
外部ストロボ装置を着脱可能なカメラであって、
前記外部ストロボ装置を用いてストロボ撮影を行う際の、前記外部ストロボ装置の発光量を設定する操作部材と、
前記操作部材により設定された発光量で発光するよう前記外部ストロボ装置に指示する発光制御手段とを有することを特徴とするカメラ。
【請求項２】
複数の撮影モードの中から任意の撮影モードを選択するモード選択部材を有し、
前記操作部材は、前記モード選択部材により選択された撮影モードが所定の撮影モードである場合、前記外部ストロボ装置の固定発光量を設定し、
前記発光制御手段は、前記操作部材により設定された固定発光量で発光するよう前記外部ストロボ装置に指示することを特徴とする請求項１に記載のカメラ。
【請求項３】
ストロボ撮影を行う被写体に対して測光を行い、測光結果に基づいて前記外部ストロボ装置の発光量を演算する演算手段を有し、
前記操作部材は、前記モード選択部材により選択された撮影モードが前記所定の撮影モードでない場合、前記演算手段により演算された発光量に対する補正発光量を設定し、
前記発光制御手段は、前記操作部材により設定された補正発光量で発光するよう前記外部ストロボ装置に指示することを特徴とする請求項２に記載のカメラ。
【請求項４】
前記所定の撮影モードは、マニュアル撮影モードであることを特徴とする請求項２または３に記載のカメラ。
【請求項５】
前記外部ストロボ装置は、ストロボ撮影を行う際の発光量を任意に設定できる外部ストロボ装置であって、
前記発光制御手段は、前記外部ストロボ装置によりストロボ撮影を行う際の発光量が設定されていない場合、前記操作部材により設定された発光量で発光するよう前記外部ストロボ装置に指示することを特徴とする請求項１ないし４のいずれかに記載のカメラ。
【請求項６】
ストロボ装置と前記ストロボ装置が装着されたカメラからなるカメラシステムであって、
前記カメラは、ストロボ撮影を行う際の前記ストロボ装置の発光量を設定するカメラ側操作部材と、前記カメラ側操作部材により設定された発光量で発光するよう前記ストロボ装置に指示する発光制御手段とを有することを特徴とするカメラシステム。
【請求項７】
前記ストロボ装置は、ストロボ撮影を行う際の発光量を設定するストロボ側操作部材を有し、
前記発光制御手段は、前記ストロボ側操作部材によりストロボ撮影を行う際の発光量が設定されていない場合、前記カメラ側操作部材により設定された発光量で発光するよう前記ストロボ装置に指示することを特徴とする請求項６に記載のカメラシステム。
【手続補正３】
【補正対象書類名】明細書
【補正対象項目名】０００１
【補正方法】変更
【補正の内容】
【０００１】
【発明の属する技術分野】
本発明は、カメラとストロボ装置の組み合わせによる成るカメラシステムやカメラの改良に関するものである。
【手続補正４】
【補正対象書類名】明細書
【補正対象項目名】０００４
【補正方法】変更
【補正の内容】
【０００４】
（発明の目的）
本発明の目的は、ストロボ装置側に発光量の設定機能を持たない場合でも、カメラ側の操作でストロボ発光量を任意に設定することのできるカメラ及びカメラシステムを提供しようとするものである。
【手続補正５】
【補正対象書類名】明細書
【補正対象項目名】０００５
【補正方法】変更
【補正の内容】
【０００５】
【課題を解決するための手段】
上記目的を達成するために、本発明のカメラは、外部ストロボ装置を着脱可能なカメラであって、前記外部ストロボ装置を用いてストロボ撮影を行う際の、前記外部ストロボ装置の発光量を設定する操作部材と、前記操作部材により設定された発光量で発光するよう前記外部ストロボ装置に指示する発光制御手段とを有することを特徴とする。
【手続補正６】
【補正対象書類名】明細書
【補正対象項目名】０００６
【補正方法】変更
【補正の内容】
【０００６】
同じく、上記目的を達成するために、本発明のカメラシステムは、ストロボ装置と前記ストロボ装置が装着されたカメラからなるカメラシステムであって、前記カメラが、ストロボ撮影を行う際の前記ストロボ装置の発光量を設定するカメラ側操作部材と、前記カメラ側操作部材により設定された発光量で発光するよう前記ストロボ装置に指示する発光制御手段とを有することを特徴とする。
【手続補正７】
【補正対象書類名】明細書
【補正対象項目名】０００９
【補正方法】変更
【補正の内容】
【０００９】
同図において、１０１は撮像レンズ、１０２は入射光量の制限及びシャッタを兼ねる絞り機構部、１０３は絞り機構部１０２を駆動する絞り駆動部、１０４はＣＣＤやＣ−ＭＯＳセンサに代表される二次元の撮像素子、１０５は撮像素子１０４を駆動する撮像素子駆動部、１０６は相関２重サンプリングやＡＧＣ（Automatic Gain Control）を行う前段信号処理部、１０７はアナログ信号をデジタル信号化するＡ／Ｄ変換部、１０８はデジタル化された信号を処理するカメラ信号処理部、１０９は画像データの圧縮、伸長を行う画像データ圧縮伸長部、１１０は画像メモリー、１１１は圧縮した画像データの記録及び再生を行うデータ記録再生部、１１２は半導体メモリー等に代表される記録媒体、１１３は後述の表示装置を駆動する表示駆動部、１１４は液晶やＣＲＴに代表される表示装置である。１１５は、アクセサリシュー１１６を介して装着される、銀塩カメラのアクセサリとして知られている外部ストロボ装置、１１７は記録開始トリガーを与えるシャッタボタン等が配置されている操作スイッチ部、１１８は一連の動作の制御を行うマイクロプロセッサユニット（以下、ＭＰＵと記す）、１１９は画像データバス１、１２０は画像データバス２である。
【手続補正８】
【補正対象書類名】明細書
【補正対象項目名】００１２
【補正方法】変更
【補正の内容】
【００１２】
前述した絞り制御、電荷蓄積時間制御、利得制御の何れも、ＭＰＵ１１８に入力される信号が適正値になるように、該ＭＰＵ１１８は絞り駆動部１０３、撮像素子駆動部１０５、前段信号処理部１０６の利得制御を行っている。
【手続補正９】
【補正対象書類名】明細書
【補正対象項目名】００１４
【補正方法】変更
【補正の内容】
【００１４】
また、ＭＰＵ１１８は絞り機構部１０２を絞り駆動部１０３により撮影用の蓄積時間で閉じ切り、シャッタ動作をする様に設定する。その後に撮像素子１０４にて設定された蓄積時間露光され、この露光期間の開始もしくは終了に同期した発光指示信号がアクセサリシュー１１６を介して外部ストロボ装置１１５に供給され、外部ストロボ装置１１５が発光する。蓄積時間終了時に絞り機構部１０２が閉じきられる事によって遮光される。遮光中に読み出された映像信号は、Ａ／Ｄ変換部１０７でアナログ信号からデジタル信号に変換されてカメラ信号処理部１０８を経て、画像データ圧縮伸張部１０９に供給される。画像データ圧縮伸張部１０９は一度画像メモリー１１０に画像データをメモリーし、順次ＪＰＥＧ等の形式に圧縮して画像データバス２（１２０）によって画像データ記録再生部１１１に出力し、これにより半導体メモリー等の記録媒体１１２に前記画像データが記録される。
【手続補正１０】
【補正対象書類名】明細書
【補正対象項目名】００１５
【補正方法】変更
【補正の内容】
【００１５】
再生時には、記録媒体１１２から画像データ記録再生部１１１にて画像データが読み取られ、画像データバス２（１２０）を介して画像データ圧縮伸長部１０９に供給され、ここで伸長された画像データは画像メモリー１１０にメモリーされ、画像データバス１（１１９）により表示駆動部１１３に供給され、表示装置１１４にて画像として再生される。
【手続補正１１】
【補正対象書類名】明細書
【補正対象項目名】００２１
【補正方法】変更
【補正の内容】
【００２１】
２０１はカメラ本体に装着される外部ストロボ装置（図１の１１５に相当）、２０２はカメラ本体と外部ストロボ装置２０１を接続するアクセサリシュー（図１の１１６に相当）である。２０３は、電源オフ、カメラ記録モード、再生モードを切り換えるメインダイヤルである。２０４は、オート、プログラム、絞り優先、シャッタスピード優先、マニュアル等の撮影モードを切り換える為のモードダイヤルである。２０５はズームレンズを操作するズームレバー、２０６は撮影トリガーをカメラに与えるシャッタボタン、２０７はカメラの設定状態を表示する表示パネルである。２０８は、各設定モードで設定量を加減する、上下左右どこを押下されたか検出可能な十字ボタンである。２０９は近接撮影を行うためのマクロボタン、２１０はカメラの測光方式を切り換える測光切換えボタン、２１１はカメラ本体に内蔵されている内蔵ストロボ（図示せず）の発光禁止ボタンであるが、外部ストロボ装置２０１が装着されている場合、内蔵ストロボはその発光が禁止されるために機能しない。
【手続補正１２】
【補正対象書類名】明細書
【補正対象項目名】００３７
【補正方法】変更
【補正の内容】
【００３７】
【発明の効果】
以上説明したように、本発明によれば、ストロボ装置側に発光量の設定機能を持たない場合でも、カメラ側の操作でストロボ発光量を任意に設定することのできるカメラ又はカメラシステムを提供できるものである。